(57)【要約】【課題】車両の悪路走行に伴って車体に発生する振動をロックアップクラッチの制御によって軽減することが可能な自動変速機のロックアップクラッチ制御装置を提供する。【解決手段】車輪速センサにより検知される車輪速度の変動量により悪路走行中であるか否か、また、悪路のレベルの大小を判定する。凹凸の比較的小さい悪路を走行していると判定された場合には、ロックアップクラッチを強制的に半係合（フレックスロックアップ状態）に設定する。また、凹凸の大きい悪路を走行していると判定された場合には、ロックアップクラッチを強制的に解放状態（トルコン状態）に設定する。これにより、互いに連結されるパワートレーンの重量が軽量化されることになり、悪路走行に伴って車体に発生する振動を軽減することが可能になる。【選択図】図７
2008298145.tif 000002
【特許請求の範囲】
【請求項１】
車両に搭載され、駆動力入力側と駆動力出力側とを、係合状態と非係合状態との間で切り換え可能なロックアップクラッチを備えた流体継手を有する自動変速機のロックアップクラッチ制御装置において、
車両が走行している路面が悪路であることを判定する悪路判定手段と、
上記悪路判定手段によって路面が悪路であると判定された際、上記ロックアップクラッチを強制的に非係合状態にする強制非係合手段とを備えていることを特徴とする自動変速機のロックアップクラッチ制御装置。
【請求項２】
上記請求項１記載の自動変速機のロックアップクラッチ制御装置において、
上記ロックアップクラッチは、非係合状態として、半係合状態と解放状態とが設定可能とされており、
上記悪路判定手段は、車両が走行している路面が悪路である場合の悪路レベルとして、路面の凹凸が比較的小さい第１の悪路レベルと、この第１の悪路レベルよりも路面の凹凸が大きい第２の悪路レベルとが判別可能となっていて、
上記強制非係合手段は、ロックアップクラッチが係合状態にあるときに、悪路判定手段によって検知される悪路レベルが上記第１の悪路レベルとなった際には、ロックアップクラッチを半係合状態とし、ロックアップクラッチが係合状態または半係合状態にあるときに、悪路判定手段によって検知される悪路レベルが上記第２の悪路レベルとなった際には、ロックアップクラッチを解放状態とするよう構成されていることを特徴とする自動変速機のロックアップクラッチ制御装置。
【請求項３】
上記請求項１記載の自動変速機のロックアップクラッチ制御装置において、
上記ロックアップクラッチは、非係合状態として、半係合状態と解放状態とが設定可能とされており、
上記強制非係合手段は、ロックアップクラッチが係合状態にあるときに、悪路判定手段によって路面が悪路であると判定された際には、ロックアップクラッチを半係合状態とし、また、ロックアップクラッチが半係合状態にあるときに、悪路判定手段によって路面が悪路であると判定された際には、ロックアップクラッチを解放状態とするよう構成されていることを特徴とする自動変速機のロックアップクラッチ制御装置。
【請求項４】
上記請求項１、２または３記載の自動変速機のロックアップクラッチ制御装置において、
上記強制非係合手段によってロックアップクラッチが強制的に非係合状態とされている状態で、悪路判定手段によって路面が悪路でなくなったと判定された場合には、ロックアップクラッチを、車両の速度及び運転者の操作によるアクセル開度に応じて係合状態または非係合状態にするロックアップクラッチ制御に復帰させるよう構成されていることを特徴とする自動変速機のロックアップクラッチ制御装置。
【請求項５】
上記請求項１〜４のうち何れか一つに記載の自動変速機のロックアップクラッチ制御装置において、
上記悪路判定手段は、単位時間当たりの駆動輪回転数の変動量が所定の悪路判定量よりも大きい場合に、車両が走行している路面が悪路であると判定するよう構成されていることを特徴とする自動変速機のロックアップクラッチ制御装置。
【発明の詳細な説明】
【技術分野】
【０００１】
本発明は、自動車に搭載される自動変速機のロックアップクラッチ制御装置に係る。特に、本発明は、悪路走行時における車両振動を抑制するための対策に関する。
【背景技術】
【０００２】
近年、トルクコンバータを備えるタイプの自動変速機（オートマチックトランスミッション）では、このトルクコンバータに、その入力側（ポンプ側）と出力側（タービン側）とを直結させるためのロックアップクラッチが設けられている。
【０００３】
このロックアップクラッチは、係合状態とすることによりトルクコンバータの入力側と出力側とを直結し、また、解放状態とすることによりトルクコンバータの入力側と出力側とを切り離す（所謂流体クラッチとして機能させる）。また、これら係合状態と解放状態との中間である半係合状態にすることによりトルクコンバータを滑らせる所謂スリップ制御が行われるものもある（例えば下記の特許文献１を参照）。
【０００４】
このスリップ制御は、所定のスリップ制御実行条件（例えば車速とアクセル開度とにより定められた条件）が成立したときに開始される。そして、トルクコンバータのポンプ回転数（エンジン回転数に相当）とタービン回転数との回転差に応じて、例えばこの回転差が一定になるように、ロックアップクラッチの係合力をフィードバック制御することによって、トルクコンバータの動力伝達状態を管理するようになっている。
【０００５】
以下、このスリップ制御を実行する場合の一例について簡単に説明する。
【０００６】
一般的に、車両が減速状態にある際、燃費向上を図るためにフューエルカットつまりインジェクタによる燃料供給を停止させるようにしている。このフューエルカットは、エンジン回転数が所定の閾値以下まで低下すると、エンジンストールを防止するために解除される（燃料噴射を復帰させる）。
【０００７】
このような車両減速時において、トルクコンバータのロックアップクラッチを解放状態にしていると、トルクコンバータの出力側から入力側へのトルク（回転動力）伝達ロスがあるためにエンジンブレーキの効きが不十分になる可能性があるので、従来、ロックアップクラッチを係合状態にして、車両減速時のエンジンブレーキの効きを強くするようにしていた。
【０００８】
この場合、車両減速に伴うフューエルカットとロックアップクラッチの係合とにより、エンジンブレーキの効きは強くなるが、その反面、エンジン回転数や車速が急激に低下することになって、比較的短時間でフューエルカット解除用の閾値に到達してしまい燃費改善効果が不十分になってしまう。上記フューエルカット解除用の閾値を低く設定すればフューエルカット時間を延長することは可能であるが、あまり低く設定し過ぎると、エンジンがストールしやすくなり好ましくない。
【０００９】
そこで、フューエルカット中に、ロックアップクラッチをスリップ制御（所謂、減速フレックスロックアップ制御）することにより、エンジン回転数の低下を緩やかにし、エンジン回転数が上記フューエルカット解除用の閾値に低下するまでに要する時間を長くすることが行われている（例えば特許文献２，３参照）。
【００１０】
一方、車両が加速状態にあるときに、従来であればロックアップクラッチを解放状態としていた運転領域においてもロックアップクラッチをスリップ制御することにより、トルクコンバータの入力側から出力側へのトルク（回転動力）伝達ロスを低減することができ、燃費の改善を図ることができる。
【特許文献１】特開２００５−４２８００号公報
【特許文献２】特開２００４−３４７００４号公報
【特許文献３】特開平８−１０９９６２号公報
【発明の開示】
【発明が解決しようとする課題】
【００１１】
ところで、車両が凹凸の多い所謂悪路を走行している場合、駆動輪が路面の突起に乗り上がる際には駆動輪の回転速度が低下し、突起を乗り越えた後には駆動輪の回転速度が上昇するといった現象が繰り返されることになる。つまり、この悪路の影響による駆動輪の回転変動が大きくなる。
【００１２】
そして、この駆動輪の回転変動が、ドライブシャフト、変速機、トルクコンバータ、エンジンといったパワートレーン全体に伝達される状況では、パワートレーンに振動が発生し、このパワートレーンの振動に伴って車体全体が大きく振動してしまう。このような状況では、乗員の乗り心地に悪影響を与えたり、ステアリング等に振動が伝達されてしまってドライバに違和感を与えてしまうことになる。また、駆動輪の回転変動に伴うエンジンの回転変動とパワートレーン全体とが共振するような状況になると、車体全体の振動が更に増幅されてしまう可能性もある。
【００１３】
本発明の発明者は、この悪路走行時の車体振動を抑制することについて考察した。そして、このように車体全体に大きな振動が発生する原因は、悪路の影響により振動する振動体（駆動輪の回転変動により振動するユニット）が、駆動輪からエンジンに亘る非常に重量の大きなパワートレーンとなっているためであることを見出した。
【００１４】
そして、この悪路の影響によって振動が発生するユニット（上記振動体）を軽量化すれば車体に伝達される振動も小さくなって上記の課題が解消されることについて着目した。この軽量化を図るためには、変速機やエンジンそれぞれを軽量化することが考えられるが、これらの軽量化は、構成材料のアルミニウム化等により既に限界に達しており、現状以上の大幅な軽量化を図ることは困難な状況である。そこで、本発明の発明者は、上記車体に伝達される振動を小さくするための手段として上記ロックアップクラッチを利用することに着目した。
【００１５】
本発明は、かかる点に鑑みてなされたものであり、その目的とするところは、車両の悪路走行に伴って車体に発生する振動をロックアップクラッチの制御によって軽減することが可能な自動変速機のロックアップクラッチ制御装置を提供することにある。
【課題を解決するための手段】
【００１６】
−課題の解決原理−
上記の目的を達成するために講じられた本発明の解決原理は、車両が走行している路面が悪路であって、駆動輪の回転変動が大きく、パワートレーンに振動が発生する可能性のある状況では、ロックアップクラッチを非係合状態（半係合状態を含む）とし、パワートレーンのうち駆動輪の回転変動が伝達される構成部分の重量を軽量化するようにしている。
【００１７】
−解決手段−
具体的に、本発明は、車両に搭載され、駆動力入力側と駆動力出力側とを、係合状態と非係合状態との間で切り換え可能なロックアップクラッチを備えた流体継手を有する自動変速機のロックアップクラッチ制御装置を前提とする。このロックアップクラッチ制御装置に対し、車両が走行している路面が悪路であることを判定する悪路判定手段と、この悪路判定手段によって路面が悪路であると判定された際、上記ロックアップクラッチを強制的に非係合状態にする強制非係合手段とを備えさせている。
【００１８】
この特定事項により、車両が平坦路（非悪路）を走行している場合には、微小時間間隔での駆動輪の回転変動は殆ど生じておらず、この駆動輪の回転変動に伴ってパワートレーンに振動が発生するといった状況は招かない。このため、ロックアップクラッチが係合状態であって、連結されているパワートレーン全体としての重量が大きい（この場合、駆動輪からエンジンに亘って連結されている状態にある）状況であっても、この重量が大きいことが原因で振動が増大するといったことはない。
【００１９】
これに対し、車両が凹凸路である悪路を走行している場合には、微小時間間隔での駆動輪の回転変動が生じており、この駆動輪の回転変動に伴ってパワートレーンに振動が生じることになる。この場合、ロックアップクラッチが係合状態であると、連結されているパワートレーン全体としての重量（駆動輪からエンジンに亘る重量）が大きく、この重量物が振動することになって車体の振動が大きくなってしまう可能性があった。
【００２０】
そこで、本解決手段では、上記悪路判定手段によって路面が悪路であると判定された場合には、上記ロックアップクラッチを強制的に非係合状態（解放状態または半係合状態）にし、互いに連結されるパワートレーンの重量を軽量化する。言い換えると、駆動輪の回転変動が直接的に伝達される伝達経路をロックアップクラッチにより遮断する（振動系からエンジンを切り離す）ことでエンジンにまでは上記駆動輪の回転変動が伝達され難い状態とし、この伝達経路を構成するパワートレーンの重量を軽量化する。このため、悪路走行に伴って車体に発生する振動を軽減することが可能になり、また、駆動輪の回転変動に伴うエンジンの回転変動とパワートレーンとが共振するといった状況を回避することも可能になる。
【００２１】
ロックアップクラッチを強制的に非係合状態にする場合の具体的な手法を実現するための構成としては以下のものが挙げられる。つまり、上記ロックアップクラッチの非係合状態として、半係合状態と解放状態とを設定可能とする。また、車両が走行している路面が悪路である場合の悪路レベルとして、路面の凹凸が比較的小さい第１の悪路レベルと、この第１の悪路レベルよりも路面の凹凸が大きい第２の悪路レベルとを上記悪路判定手段が判別可能な構成とする。そして、ロックアップクラッチが係合状態にあるときに、悪路判定手段によって検知される悪路レベルが上記第１の悪路レベルとなった際には、上記強制非係合手段がロックアップクラッチを半係合状態にし、ロックアップクラッチが係合状態または半係合状態にあるときに、悪路判定手段によって検知される悪路レベルが上記第２の悪路レベルとなった際には、上記強制非係合手段がロックアップクラッチを解放状態にする構成としている。
【００２２】
これによれば、車両が走行している路面の悪路レベルに応じてロックアップクラッチの非係合状態を設定することができる。つまり、凹凸が比較的大きい悪路（上記第２の悪路レベル）である場合にはロックアップクラッチを解放状態とし、駆動輪の回転変動のエンジンへの伝達を略遮断する。即ち、凹凸が比較的大きい悪路の場合には、燃費改善効果よりも車体振動抑制効果を優先させる動作を実行する。一方、凹凸が比較的小さい悪路（上記第１の悪路レベル）である場合にはロックアップクラッチを半係合状態とし、駆動輪の回転変動がエンジンへ伝達されることを僅かに許容しつつも、ロックアップクラッチを半係合状態とすることに伴う燃費の改善を図ることができるようにする。これにより、車体振動の抑制と燃費改善とを両立できる状態になる。例えば、上記駆動輪の回転変動に伴う車体振動を許容範囲内に抑えつつ、ロックアップクラッチの半係合による燃費改善効果を奏することが可能になる。
【００２３】
ロックアップクラッチを強制的に非係合状態にする場合の具体的な手法を実現するための他の構成としては以下のものが挙げられる。つまり、上記ロックアップクラッチの非係合状態として、半係合状態と解放状態とを設定可能とする。また、ロックアップクラッチが係合状態にあるときに、悪路判定手段によって路面が悪路であると判定された際には、上記強制非係合手段がロックアップクラッチを半係合状態にし、また、ロックアップクラッチが半係合状態にあるときに、悪路判定手段によって路面が悪路であると判定された際には、上記強制非係合手段がロックアップクラッチを解放状態にする構成としている。
【００２４】
これによれば、ロックアップクラッチを、係合状態、半係合状態、解放状態の３段階で切り換え可能な構成において、車両が悪路を走行していると判定された場合には、現状のロックアップクラッチの状態から１段階だけ解放側に向けて作動させ、これにより、互いに連結されるパワートレーンの重量の軽量化による車体振動の抑制効果を促進することが可能になる。例えば、ロックアップクラッチが係合状態にあって非悪路を走行している状態から悪路走行に移った際には、先ず、ロックアップクラッチを半係合状態にする。その後、悪路走行が継続すれば、ロックアップクラッチを解放状態にすることになる。このため、ロックアップクラッチが係合状態から解放状態に急激に切り換わるといった状況を抑制し、ロックアップクラッチの切り換わりに伴う車両の挙動発生を抑制することが可能になる。
【００２５】
上述した強制非係合手段による強制的な非係合状態から通常のロックアップクラッチ制御に復帰させるための構成として以下のものが挙げられる。つまり、上記強制非係合手段によってロックアップクラッチが強制的に非係合状態とされている状態で、悪路判定手段によって路面が悪路でなくなったと判定された場合には、ロックアップクラッチを、車両の速度及び運転者の操作によるアクセル開度に応じて係合状態または非係合状態にするロックアップクラッチ制御に復帰させる構成としている。
【００２６】
これにより、車両が悪路から脱した場合には、通常のロックアップクラッチ制御に移ることになる。つまり、車両の速度及び運転者の操作によるアクセル開度に応じて予め設定された（例えばロックアップクラッチ制御用のマップにより設定された）係合状態または非係合状態となる。これにより、本来のロックアップクラッチ制御の効果を奏するための制御動作を、悪路を脱するのと同時に開始することができる。つまり、係合状態とした場合の動力伝達ロスの削減や、非係合状態とした場合の燃費の改善などを図ることができる。
【００２７】
また、上記悪路判定手段による悪路判定の手法としては、単位時間当たりの駆動輪回転数の変動量が所定の悪路判定量よりも大きい場合に、車両が走行している路面が悪路であると判定するようにしている。
【００２８】
つまり、上記車体振動の発生原因である駆動輪回転数の変動量を直接的に検知し、それに応じてロックアップクラッチを制御するようにしている。このため、ロックアップクラッチを強制的に非係合状態にすることによる車体振動抑制効果を確実に発揮できるタイミングで、この強制的非係合状態を得ることができ、上記効果を確実に奏することが可能になる。
【発明の効果】
【００２９】
本発明では、車両が走行している路面が悪路であって、駆動輪の回転変動が大きく、パワートレーンに振動が発生する可能性のある状況では、ロックアップクラッチを非係合状態とすることで、駆動輪の回転変動が直接的に伝達される振動系からエンジンを切り離して、この振動系を軽量化している。これにより、上記駆動輪の回転変動が原因で車体全体が大きく振動してしまうといった状況を回避し、乗員の乗り心地の改善や運転者の違和感の解消を図ることができる。
【発明を実施するための最良の形態】
【００３０】
以下、本発明の実施の形態を図面に基づいて説明する。本実施形態では、ＦＲ（フロントエンジン・リヤドライブ）車両に搭載された自動変速機のロックアップクラッチに対して本発明を適用した場合について説明する。また、本実施形態において特徴とする制御であるロックアップクラッチ制御動作について説明する前に、車両のパワートレーン（車両用駆動装置）及び自動変速機の基本動作等について説明する。
【００３１】
図１は、本実施形態に係る車両のパワートレーンを示す概略構成図、図２は、図１の自動変速機における変速機構部の一例を示すスケルトン図、図３は、図２の変速機構部における変速段毎の各クラッチおよび各ブレーキの係合表である。
【００３２】
図中、１はエンジン、２は自動変速機、３はエンジン制御装置（エンジンＥＣＵ）、４はトランスミッション制御装置（変速機ＥＣＵ）である。
【００３３】
−エンジン１−
エンジン１は、外部から吸入する空気とインジェクタ（燃料噴射弁）５から噴射される燃料とを適宜の比率で混合した混合気を燃焼させることにより、回転動力を発生する内燃機関である。吸入空気量は、スロットルバルブ６で調節される。このスロットルバルブ６は、電動式のアクチュエータ（スロットルモータ等）７により駆動されるもので、アクセルペダル１１の踏み込み量や制御上の必要条件に基づきアクチュエータ７を駆動することにより開度調節される。インジェクタ５およびアクチュエータ７は、エンジン制御装置３により制御される。
【００３４】
−自動変速機２−
自動変速機２は、エンジン１から入力軸９に入力される回転動力を変速し、出力軸１０を介して駆動輪に出力するもので、主として、トルクコンバータ（流体継手）２０、変速機構部３０、油圧制御装置４０等を含んで構成されている。
【００３５】
トルクコンバータ２０は、エンジン１に回転連結されるもので、ポンプインペラ２１、タービンランナ２２、ステータ２３、ワンウェイクラッチ２４、ステータシャフト２５、ロックアップクラッチ２６を含んで構成されている。
【００３６】
上記ロックアップクラッチ２６は、トルクコンバータ２０のポンプインペラ２１（入力側）とタービンランナ２２（出力側）とを直結可能とするものであり、必要に応じて、ポンプインペラ２１とタービンランナ２２とを直結する係合状態と、ポンプインペラ２１とタービンランナ２２とを切り離す解放状態と、これら係合状態と解放状態との中間の半係合状態（スリップ状態）との間で切り換えられる。この切り換えのための条件については後述する。
【００３７】
このロックアップクラッチ２６の係合力制御は、ロックアップコントロールバルブ２７でポンプインペラ２１（入力側）とタービンランナ２２（出力側）とに対する作動油圧をコントロールすることによって行われる。
【００３８】
変速機構部３０は、図２に示すように、主として、第１プラネタリ３１、第２プラネタリ３２、第３プラネタリ３３、クラッチＣ１〜Ｃ４、ブレーキＢ１〜Ｂ４、ワンウェイクラッチＦ０〜Ｆ３等を含んで構成されており、前進６段、後進１段の変速が可能になっている。
【００３９】
第１プラネタリ３１は、ダブルピニオンタイプと呼ばれる歯車式遊星機構とされており、サンギアＳ１と、リングギアＲ１と、複数個のインナーピニオンギアＰ１Ａと、複数個のアウターピニオンギアＰ１Ｂと、キャリアＣＡ１とを含む構成である。
【００４０】
サンギアＳ１は、クラッチＣ３を介して入力軸９に選択的に連結される。このサンギアＳ１は、ワンウェイクラッチＦ２およびブレーキＢ３を介してハウジングに選択的に連結され、逆方向（入力軸９の回転と反対方向）の回転が阻止される。キャリアＣＡ１は、ブレーキＢ１を介してハウジングに選択的に連結されるとともに、そのブレーキＢ１と並列に設けられたワンウェイクラッチＦ１により、常に逆方向の回転が阻止される。リングギアＲ１は、第２プラネタリ３２のリングギアＲ２と一体的に連結されており、ブレーキＢ２を介してハウジングに選択的に連結される。
【００４１】
第２プラネタリ３２は、シングルピニオンタイプと呼ばれる歯車式遊星機構とされており、サンギアＳ２と、リングギアＲ２と、複数個のピニオンギアＰ２と、キャリアＣＡ２とを含む構成である。
【００４２】
サンギアＳ２は、第３プラネタリ３３のサンギアＳ３と一体的に連結されており、クラッチＣ４を介して入力軸９に選択的に連結される。このサンギアＳ２は、ワンウェイクラッチＦ０及びクラッチＣ１を介して入力軸９に選択的に連結され、その入力軸９に対して相対的に逆方向へ回転することが阻止される。キャリアＣＡ２は、第３プラネタリ３３のリングギアＲ３と一体的に連結されており、クラッチＣ２を介して入力軸９に選択的に連結されるとともに、ブレーキＢ４を介してハウジングに選択的に連結される。このキャリアＣＡ２は、ブレーキＢ４と並列に設けられたワンウェイクラッチＦ３により、常に逆方向の回転が阻止される。
【００４３】
第３プラネタリ３３は、シングルピニオンタイプと呼ばれる歯車式遊星機構とされており、サンギアＳ３と、リングギアＲ３と、複数個のピニオンギアＰ３と、キャリアＣＡ３とを含む構成である。キャリアＣＡ３は、出力軸１０に一体的に連結されている。
【００４４】
クラッチＣ１〜Ｃ４およびブレーキＢ１〜Ｂ４は、オイルの粘性を利用した湿式多板摩擦係合装置により構成されている。
【００４５】
油圧制御装置４０は、変速機構部３０におけるクラッチＣ１〜Ｃ４ならびにブレーキＢ１〜Ｂ４を個別に係合、解放させることにより適宜の変速段（１〜６速段）を成立させるものである。この油圧制御装置４０の基本構成は公知であるので、ここでは詳細な図示や説明を割愛する。
【００４６】
ここで、上述した変速機構部３０における各変速段を成立させる条件について、図３を用いて説明する。
【００４７】
図３は、変速機構部３０の変速段毎でのクラッチＣ１〜Ｃ４、ブレーキＢ１〜Ｂ４およびワンウェイクラッチＦ０〜Ｆ３の係合または解放状態を示す係合表である。この係合表において、○印は「係合」、×印は「解放」、◎印は「エンジンブレーキ時に係合」、△印は「駆動時のみ係合」を示す。
【００４８】
なお、クラッチＣ１は、前進クラッチ（入力クラッチ）と呼ばれ、図３の係合表に示すように、パーキングポジション（Ｐ）、リバースポジション（Ｒ）、ニュートラルポジション（Ｎ）以外の、車両が前進するための変速段を構成する際に必ず係合状態で使用される。
【００４９】
−エンジン制御装置３、トランスミッション制御装置４−
エンジン制御装置３は、走行状況に応じてエンジン１へ供給する混合気や燃焼タイミングを制御することによりエンジン１を駆動するものである。
【００５０】
トランスミッション制御装置４は、油圧制御装置４０を制御することにより変速機構部３０における適宜の変速段つまり動力伝達経路を成立させるものである。
【００５１】
また、これらエンジン制御装置３とトランスミッション制御装置４とは、エンジン制御やトランスミッション制御に必要な情報を互いに送受可能に接続されている。
【００５２】
エンジン制御装置３およびトランスミッション制御装置４は、図示していないが、共に一般的に公知のＥＣＵ（Ｅｌｅｃｔｒｏｎｉｃ  Ｃｏｎｔｒｏｌ  Ｕｎｉｔ）とされており、それぞれ、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）及びバックアップＲＡＭなどを備えている。
【００５３】
ＲＯＭは、各種制御プログラムや、それら各種制御プログラムを実行する際に参照されるマップ等が記憶されている。ＣＰＵは、ＲＯＭに記憶された各種制御プログラムやマップに基づいて演算処理を実行する。ＲＡＭは、ＣＰＵでの演算結果や各センサから入力されたデータ等を一時的に記憶するメモリであり、バックアップＲＡＭは、エンジン１の停止時にその保存すべきデータ等を記憶する不揮発性のメモリである。
【００５４】
エンジン制御装置３には、図４に示すように、エンジン回転数センサ１０１、及び、スロットル開度センサ１０２などのエンジン１の運転状態を検出する各種センサが接続されており、その各センサの信号が入力される。また、このエンジン制御装置３は、スロットルバルブ６のアクチュエータ７、及び、インジェクタ５などのエンジン１の各部を制御する。
【００５５】
トランスミッション制御装置４には、上記入力軸９の回転数を検出する入力軸回転数センサ１１０、出力軸１０の回転数を検出する出力軸回転数センサ１１１、ドライバにより操作されるアクセルペダル１１の開度を検出するアクセル開度センサ１１２、自動変速機２のシフトレバー位置を検出するシフトポジションセンサ１１３、駆動輪の速度（車輪速度）を検出する車輪速センサ１１４などが接続されている。尚、この車輪速センサ１１４は、各車輪に備えられており、ＡＢＳ（Ａｎｔｉｌｏｃｋ  Ｂｒａｋｅ  Ｓｙｓｔｅｍ）制御において路面状況を検知するためのものとして使用されている。
【００５６】
また、このトランスミッション制御装置４は、上記ロックアップコントロールバルブ２７にロックアップクラッチ制御信号を出力する。このロックアップクラッチ制御信号に基づいてロックアップコントロールバルブ２７がロックアップクラッチ２６の係合圧を制御し、上述したロックアップクラッチ２６の係合状態（トルコン状態）、解放状態（完全スリップ状態）、半係合状態（スリップ状態：フレックスロックアップ状態とも呼ばれる）が切り換えられるようになっている。
【００５７】
さらに、トランスミッション制御装置４は、自動変速機２の油圧制御装置４０にソレノイド制御信号（油圧指令信号）を出力する。このソレノイド制御信号に基づいて油圧制御装置４０の油圧制御回路に備えられているリニアソレノイドバルブやオンオフソレノイドバルブなどが制御され、所定の変速段（第１変速段〜第６変速段、後退変速段など）を達成するように、自動変速機２の各クラッチＣ１〜Ｃ４、各ブレーキＢ１〜Ｂ４などが所定の状態に係合または解放される。
【００５８】
−変速マップ−
上記自動変速機２の変速制御は、例えば図５に示すような変速マップ（変速条件）に従って行われる。この変速マップは、車速Ｖ及びアクセル開度θTHをパラメータとし、それら車速Ｖ及びアクセル開度θTHに応じて、適正な変速段を求めるための複数の領域が設定されたマップであって、上記トランスミッション制御装置４のＲＯＭ内に記憶されている。変速マップの各領域は複数の変速線（変速段の切り換えライン）によって区画されている。尚、図５に示す変速マップにおいて、シフトアップ線（変速線）を実線で示し、シフトダウン線（変速線）を破線で示している。また、シフトアップ及びシフトダウンの各切り換え方向を図中に数字と矢印とを用いて示している。
【００５９】
−変速制御の基本動作−
次に、上述の如く構成された自動変速機２に対する変速制御の基本動作について説明する。
【００６０】
トランスミッション制御装置４は、上記出力軸回転数センサ１１１の出力信号から車速Ｖを算出するとともに、アクセル開度センサ１１２の出力信号からアクセル開度θTHを算出し、それら車速Ｖ及びアクセル開度θTHに基づいて図５の変速マップを参照して目標変速段を算出する。さらに、上記入力軸回転数センサ１１０及び出力軸回転数センサ１１１の出力信号から得られる回転数の比（出力回転数／入力回転数）を求めて現在変速段を判定し、その現在変速段と目標変速段とを比較して変速操作が必要であるか否かを判定する。
【００６１】
その判定結果により、変速の必要がない場合（現在変速段と目標変速段とが同じで、変速段が適切に設定されている場合）には、現在変速段を維持するソレノイド制御信号（油圧指令信号）を自動変速機２の油圧制御装置４０に出力する。
【００６２】
一方、現在変速段と目標変速段とが異なる場合には変速制御を行う。例えば、自動変速機２の変速段が「４速」の状態で走行している状況から、車両の走行状態が変化して、例えば図５に示す点Ａから点Ｂに変化した場合、シフトアップ変速線［４→５］を跨ぐ変化となるので、変速マップから算出される目標変速段が「５速」となり、その５速の変速段を設定するソレノイド制御信号（油圧指令信号）を自動変速機２の油圧制御装置４０に出力して、４速の変速段から５速の変速段への変速（４→５アップ変速）を行う。
【００６３】
−ロックアップクラッチ作動マップ−
上述したロックアップクラッチ２６の係合状態、解放状態、半係合状態の切り換え動作は、例えば図６に示すようなロックアップクラッチ作動マップに従って行われる。このロックアップクラッチ作動マップは、車速Ｖ及びアクセル開度θTHをパラメータとし、それら車速Ｖ及びアクセル開度θTHに応じて、ロックアップクラッチ２６を、係合状態（ロックアップ状態）、解放状態（トルコン状態）、半係合状態（フレックスロックアップ状態：スリップ状態）の間で切り換えるためのマップであって、上記トランスミッション制御装置４のＲＯＭ内に記憶されている。
【００６４】
つまり、車速Ｖ及びアクセル開度θTHに基づいて、係合領域（ロックアップ作動領域）、解放領域（トルコン作動領域）、スリップ領域（フレックスロックアップ作動領域）のいずれの領域に属するかを判定し、その判定された領域の作動となるように上記ロックアップコントロールバルブ２７を制御してロックアップクラッチ２６を係合、解放、或いは半係合のいずれかの状態とする制御を実行する。尚、上記アクセル開度θTHに代えてスロットル開度に応じたロックアップクラッチ作動マップ（車速とスロットル開度とに応じてロックアップクラッチ２６を制御するためのマップ）によりロックアップクラッチ２６の状態を切り換えるようにしてもよい。
【００６５】
上記フレックスロックアップ作動領域では、運転性を損なうことなく燃費を可及的に良くすることを目的としてエンジン１の回転変動を吸収しつつトルクコンバータ２０の動力伝達損失を可及的に抑制するために、ロックアップクラッチ２６のスリップ制御を実行する。ロックアップクラッチ２６のスリップ制御については、タービン回転速度ＮＴとエンジン回転速度ＮＥとの回転速度差（スリップ量）ＮＳＬＰ（＝ＮＥ−ＮＴ）を目標回転速度差（目標スリップ量：例えば５０ｒｐｍ）に制御するためにロックアップクラッチ２６を制御するソレノイド弁に対して駆動信号を出力する。このスリップ制御のうちの減速走行時スリップ制御は、たとえば、アクセル開度θTHが略零で惰性走行（減速走行）する前進走行時において生じる駆動輪側からの逆入力をエンジン１側へ伝達する変速段、すなわちエンジンブレーキ作用が得られる変速段で行われ、タービン回転速度ＮＴおよびエンジン回転速度ＮＥは、車両の減速にしたがって緩やかに減少させられる。このようにロックアップクラッチ２６がスリップ係合させられると、エンジン回転速度ＮＥがタービン回転速度ＮＴ付近まで引き上げられるため、エンジン１に対する燃料供給量を抑制する制御状態（フューエルカット状態）がさらに長い期間維持されて燃費が向上する。
【００６６】
−悪路走行時のロックアップクラッチ制御動作−
次に、本実施形態の特徴とするところの悪路走行時におけるロックアップクラッチ制御動作についての複数の実施形態について説明する。
【００６７】
（第１実施形態）
先ず、第１実施形態について説明する。図７は、本実施形態におけるロックアップクラッチ２６の制御動作の手順を示すフローチャートである。本ルーチンは、上記ＡＢＳ制御動作（車輪に対する間欠的なブレーキング動作）が行われていないことを条件として実行されるものであって、エンジン始動後の所定時間毎、例えば、数十ｍｓｅｃ毎に実行される。
【００６８】
先ず、ステップＳＴ１において、上記車輪速センサ１１４によって検知される車輪速度の単位時間当たりの変動量（ΔＳＰＤ：変動量の絶対値）が所定の閾値α以上であるか否かを判定する（悪路判定手段による悪路判定動作）。ここで使用される車輪速度は駆動輪（本実施形態では後輪）の速度である。より具体的には、左右の駆動輪のうちの一方の駆動輪の車輪速度を検知対象としてもよいし、左右の駆動輪両方の変動量を検知しておきそのうち変動量が大きい側の駆動輪の車輪速度を検知対象としてもよい。更には、左右の駆動輪の変動量の平均値をこのステップＳＴ１での車輪速度の変動量としてもよい。
【００６９】
また、ここでいう車輪速度の単位時間当たりの変動量（ΔＳＰＤ）とは、例えば、上記車輪速センサ１１４によって検知される駆動輪の回転速度の１０ｍｓｅｃ毎の変化量（つまり、１０ｍｓｅｃ毎の車速変化量）であって、ステップＳＴ１では、この変化量が所定値α（例えば５ｋｍ／ｈ）以上であるか否かを判定する。つまり、車両が悪路（凹凸路）を走行している状況では、駆動輪が突起に乗り上がる際には駆動輪の回転速度が低下し、突起を乗り越えた後には駆動輪の回転速度が上昇するといった現象が繰り返されることになり、この悪路の影響によって駆動輪の回転変動が大きくなるので、上記車輪速度の単位時間当たりの変動量を検知することで、現在、車両が走行している路面が悪路であるか否かを判定することが可能である。
【００７０】
この変動量（ΔＳＰＤ）が閾値α未満である場合（ステップＳＴ１でＮｏ判定された場合）には、現在、車両が走行している路面は悪路でないとして、ステップＳＴ２に移って、上記ロックアップクラッチ作動マップ（図６）に従って、ロックアップクラッチ２６が、係合状態、解放状態、半係合状態の何れかに設定される。つまり、車速Ｖ及びアクセル開度θTHに応じて、ロックアップクラッチ２６を、係合状態、解放状態、半係合状態の何れかに設定することになる（通常のロックアップクラッチ制御）。
【００７１】
一方、上記変動量（ΔＳＰＤ）が閾値α以上である場合には、現在、車両が走行している路面は悪路であると判定され、ステップＳＴ３において、その悪路のレベル（悪路の程度）が判断される。具体的に、このステップＳＴ３では、上記車輪速センサ１１４によって検知される車輪速度の単位時間当たりの変動量（ΔＳＰＤ：変動量の絶対値）が所定の閾値β以上であるか否かを判定する。この閾値βは、上記閾値αよりも大きな値（より悪路（凹凸が大きい状態）である場合の値）に設定されており、具体的には、変動量１０ｋｍ／ｈに相当する値に設定されている。
【００７２】
従って、このステップＳＴ３でＮｏ判定された場合には、車輪速度の単位時間当たりの変動量（ΔＳＰＤ）は、「α≦ΔＳＰＤ＜β」の範囲にあり、比較的凹凸の小さな悪路（第１の悪路レベル）であると判断される。これに対し、ステップＳＴ３の判定でＹｅｓ判定された場合には、車輪速度の単位時間当たりの変動量（ΔＳＰＤ）は、「β≦ΔＳＰＤ」であり、凹凸の大きな悪路（第２の悪路レベル）であると判断されることになる。尚、上記α及びβの値は上述したものに限定されず、実験的または経験的に設定される。
【００７３】
そして、このステップＳＴ３でＹｅｓ判定された場合、つまり、凹凸の大きな悪路であると判断された場合には、ステップＳＴ４に移り、ロックアップクラッチ２６を強制的に解放状態（トルコン状態）にする（強制非係合手段によって強制的に非係合状態（解放状態）とされる動作）。これにより、エンジン１は自動変速機２から切り離された状態となり、駆動輪の回転変動がエンジン１にまで直接的に伝達されることが抑制されることになる。つまり、互いに連結されるパワートレーンの重量が軽量化されることになる。言い換えると、駆動輪の回転変動が直接的に伝達される伝達経路をロックアップクラッチ２６により遮断して、この振動系からエンジン１を切り離す。これにより、エンジン１にまでは上記駆動輪の回転変動が伝達され難い状態とし、この伝達経路を構成するパワートレーンの重量を軽量化する。このため、悪路走行に伴って車体に発生する振動を軽減することが可能になり、また、駆動輪の回転変動に伴うエンジン１の回転変動とパワートレーンとが共振するといった状況を回避することも可能になる。
【００７４】
このようにしてロックアップクラッチ２６を強制的に解放状態（トルコン状態）にした後には、自動車が悪路から脱することに伴って上記ステップＳＴ１でＮｏ判定されるまで、上記ロックアップクラッチ２６の強制的な解放状態が継続されることになる。
【００７５】
一方、上記ステップＳＴ３でＮｏ判定された場合、つまり、比較的凹凸の小さな悪路であると判断された場合には、ステップＳＴ５に移り、現在のロックアップクラッチ２６の状態は係合状態（ロックアップ状態）であるか否かを判定する。
【００７６】
今回のルーチンで初めて悪路判定がなされた場合（非悪路を走行している状態から「α≦ΔＳＰＤ＜β」となる悪路を走行する状態となった場合）には、それまで、上記ロックアップクラッチ作動マップ（図６）に従ったロックアップクラッチ制御が行われている状態となっているが、この通常のロックアップクラッチ制御において、ロックアップクラッチ２６が係合状態（ロックアップ状態）となっている場合には、このステップＳＴ５でＹｅｓ判定されることになり、ステップＳＴ６に移って、ロックアップクラッチ２６を強制的に半係合状態（フレックスロックアップ状態）にする（強制非係合手段によって強制的に非係合状態（半係合状態）とされる動作）。つまり、現在の路面状態が比較的凹凸の小さな悪路である場合には、ロックアップクラッチ２６を強制的に半係合状態とすることにより、互いに連結されるパワートレーンの重量の軽量化による車体振動の抑制効果と燃費改善効果とを両立できる状態にする。これにより、駆動輪の回転変動に伴う車体振動を許容範囲内に抑えつつ、ロックアップクラッチ２６の半係合による燃費改善効果を奏することが可能になる。
【００７７】
また、今回のルーチンで初めて悪路判定がなされた場合であって、上記ロックアップクラッチ作動マップ（図６）に従った通常のロックアップクラッチ制御においてロックアップクラッチ２６が半係合状態（フレックスロックアップ状態）または解放状態（トルコン状態）となっている場合には、上記ステップＳＴ５でＮｏ判定されることになり、現在のロックアップクラッチ制御状態を維持したままリターンする。つまり、通常のロックアップクラッチ制御によって既に半係合状態（フレックスロックアップ状態）や解放状態（トルコン状態）となっており、車体振動の抑制効果が得られる状況となっているので、ロックアップクラッチ２６の作動を強制的に切り換えることなくリターンする。
【００７８】
以上説明したように、本実施形態では、車両が走行している路面が悪路であって、駆動輪の回転変動が大きく、パワートレーンに振動が発生する可能性のある状況では、ロックアップクラッチ２６を半係合状態（フレックスロックアップ状態）または解放状態（トルコン状態）といった非係合状態にする。これにより、駆動輪の回転変動が直接的に伝達される振動系からエンジン１を切り離して、この振動系を軽量化し、上記駆動輪の回転変動が原因で車体全体が大きく振動してしまうといった状況を回避して、乗員の乗り心地の改善や運転者の違和感の解消を図ることができる。
【００７９】
尚、本実施形態では、ロックアップクラッチ２６を強制的に解放状態（トルコン状態）にした後には（ステップＳＴ４で解放状態にした後には）、自動車が悪路から脱するまで、上記ロックアップクラッチ２６の強制的な解放状態が継続されるようにしていた。これに限らず、ロックアップクラッチ２６が解放状態にある場合に、それが、ロックアップクラッチ作動マップに従った通常のロックアップクラッチ制御によって解放状態とされたものであるのか、上記ステップＳＴ４において強制的に解放状態とされたものであるのかが判別できるようにしておき、通常のロックアップクラッチ制御によって解放状態とされたものである場合には、ステップＳＴ３でＮｏ判定された際に解放状態を維持する一方、強制的に解放状態とされたものである場合には、ステップＳＴ３でＮｏ判定された際に強制的に半係合状態（フレックスロックアップ状態）に切り換えるようにしてもよい。
【００８０】
（第２実施形態）
次に、第２実施形態について説明する。図８は、本実施形態におけるロックアップクラッチ２６の制御動作の手順を示すフローチャートである。本ルーチンも、上記ＡＢＳ制御動作が行われていないことを条件として実行されるものであって、エンジン始動後の所定時間毎、例えば、数十ｍｓｅｃ毎に実行される。
【００８１】
先ず、ステップＳＴ１１において、上記車輪速センサ１１４によって検知される車輪速度の単位時間当たりの変動量（ΔＳＰＤ：変動量の絶対値）が所定の閾値γ以上であるか否かを判定する。ここでいう車輪速度の単位時間当たりの変動量（ΔＳＰＤ）の検知動作は上述した第１実施形態と同様であるので、ここでの説明は省略する。尚、上記閾値γの値としては、例えば３ｋｍ／ｈが挙げられるが、これに限定されるものではなく、実験的または経験的に設定される。
【００８２】
この変動量（ΔＳＰＤ）が閾値γ未満である場合（ステップＳＴ１１でＮｏ判定された場合）には、現在、車両が走行している路面は悪路でないとして、ステップＳＴ１２に移って、上記ロックアップクラッチ作動マップ（図６）に従って、ロックアップクラッチ２６が、係合状態、解放状態、半係合状態の何れかに設定される。つまり、車速Ｖ及びアクセル開度θTHに応じた通常のロックアップクラッチ制御が実行される。
【００８３】
一方、上記変動量（ΔＳＰＤ）が閾値γ以上である場合には、現在、車両が走行している路面は悪路であると判定され、ステップＳＴ１３において、現在のロックアップクラッチ２６の状態は係合状態（ロックアップ状態）であるか否かを判定する。
【００８４】
今回のルーチンで初めて悪路判定がなされた場合（非悪路を走行している状態から悪路を走行する状態となった場合）には、それまで、上記ロックアップクラッチ作動マップ（図６）に従ったロックアップクラッチ制御が行われている状態となっているが、この通常のロックアップクラッチ制御において、ロックアップクラッチ２６が係合状態（ロックアップ状態）となっている場合には、このステップＳＴ１３でＹｅｓ判定されることになり、ステップＳＴ１４に移り、ロックアップクラッチ２６を強制的に半係合状態（フレックスロックアップ状態）にする。つまり、ロックアップクラッチ２６の状態を係合状態（ロックアップ状態）から一段階だけ解放側に進めた半係合状態（フレックスロックアップ状態）に強制的に変更する。
【００８５】
このようにして、ロックアップクラッチ２６を強制的に半係合状態とすることにより、上記第１実施形態の場合と同様に、互いに連結されるパワートレーンの重量の軽量化による車体振動の抑制効果と燃費改善効果とを両立できる状態にする。これにより、駆動輪の回転変動に伴う車体振動を許容範囲内に抑えつつ、ロックアップクラッチ２６の半係合による燃費改善効果を奏することが可能になる。
【００８６】
このようにしてロックアップクラッチ２６が強制的に半係合状態とされた後、ステップＳＴ１５に移り、上記トランスミッション制御装置４に備えられているタイマのカウントを開始する。このタイマは例えば５ｓｅｃでタイムアップするものなどが適用される。この値はこれに限られるものではなく、上記強制的な半係合状態を継続させるのに適した値のものが採用可能である。
【００８７】
上記ステップＳＴ１５でタイマのカウントを開始した後、ステップＳＴ１６に移ってタイマのタイムアップを待ち、タイムアップ後（ステップＳＴ１６でＹｅｓ判定後）、リターンされる。
【００８８】
一方、上記ステップＳＴ１３において、現在のロックアップクラッチ２６の状態は係合状態（ロックアップ状態）でないＮｏ判定された場合にはステップＳＴ１７に移り、現在のロックアップクラッチ２６の状態は半係合状態（フレックスロックアップ状態）であるか否かを判定する。ロックアップクラッチ２６が半係合状態（フレックスロックアップ状態）となっている場合には、このステップＳＴ１７でＹｅｓ判定され、ステップＳＴ１８に移り、ロックアップクラッチ２６を強制的に解放状態（トルコン状態）にする。つまり、ロックアップクラッチ２６の状態を半係合状態（フレックスロックアップ状態）から一段階だけ解放側に進めた解放状態（トルコン状態）に強制的に変更する。
【００８９】
このようにして、ロックアップクラッチ２６を強制的に解放状態とすることにより、上記第１実施形態の場合と同様に、互いに連結されるパワートレーンの重量が軽量化されることになる。言い換えると、駆動輪の回転変動が直接的に伝達される伝達経路をロックアップクラッチ２６により遮断して、この振動系からエンジン１を切り離す。これにより、エンジン１にまでは上記駆動輪の回転変動が伝達され難い状態とし、この伝達経路を構成するパワートレーンの重量を軽量化する。このため、悪路走行に伴って車体に発生する振動を軽減することが可能になり、また、駆動輪の回転変動に伴うエンジン１の回転変動とパワートレーンとが共振するといった状況を回避することも可能になる。
【００９０】
また、上記ステップＳＴ１７でＮｏ判定された場合には、ロックアップクラッチ２６は、既に解放状態（トルコン状態）となっているので、その解放状態を維持したままリターンする。つまり、車体振動の抑制効果が得られる状況となっているので、ロックアップクラッチ２６の作動を強制的に切り換えることなくリターンする。
【００９１】
本実施形態によっても、上述した第１実施形態の場合と同様に、悪路走行時には、上記振動系の軽量化を図ることにより、上記駆動輪の回転変動が原因で車体全体が大きく振動してしまうといった状況を回避して、乗員の乗り心地の改善や運転者の違和感の解消を図ることができる。
【００９２】
また、本実施形態にあっては、車両が悪路を走行していると判定された場合には、現状のロックアップクラッチ２６の状態から１段階だけ解放側に向けて作動させるようにしている。つまり、悪路判定がなされた際に、ロックアップクラッチ２６が係合状態にある場合には強制的に半係合状態にし、また、悪路判定がなされた際に、ロックアップクラッチ２６が半係合状態にある場合には強制的に解放状態にしている。このため、ロックアップクラッチ２６が係合状態から解放状態に急激に切り換わるといった状況を抑制し、ロックアップクラッチ２６の切り換わりに伴う車両の挙動発生を抑制することが可能になる。特に、上記ステップＳＴ１５及びステップＳＴ１６においてタイマがタイムアップするまでの間、半係合状態を維持するようにしたことで、この効果を確実に発揮させることができる。
【００９３】
−他の実施形態−
以上説明した各実施形態では、三つのプラネタリ３１〜３３を備える変速機構部３０を有する自動変速機２を例に挙げたが、本発明はこれに限るものではなく種々の変速機構部を有する自動変速機に対して適用することが可能である。また、変速機構部３０における変速可能な段数についても特に限定されるものではない。
【００９４】
また、上述した各実施形態では、ＦＲ（フロントエンジン・リヤドライブ）車両に搭載された自動変速機２のロックアップクラッチ２６に対して本発明を適用した場合について説明したが、ＦＦ車両に搭載されたものや４輪駆動車に搭載されたものに対しても本発明は適用可能である。
【００９５】
また、上述した各実施形態では、車輪速センサ１１４によって検知される車輪速度の単位時間当たりの変動量によって悪路走行中であるか否かを判定するようにしていた。本発明はこれに限らず、出力軸回転数センサ１１１の出力信号から車速を検知し、この車速の単位時間当たりの変動量によって悪路走行中であるか否かを判定するようにしてもよい。また、悪路走行中であるか否かの判定動作としてはこれらに限らず他の手法を用いてもよい。
【図面の簡単な説明】
【００９６】
【図１】実施形態に係る車両のパワートレーンを示す概略構成図である。
【図２】自動変速機における変速機構部の一例を示すスケルトン図である。
【図３】自動変速機における各クラッチ及び各ブレーキの変速段毎の係合状態を示す図である。
【図４】エンジン制御装置およびトランスミッション制御装置を含む制御ブロックを示す概略構成図である。
【図５】変速制御に用いる変速マップを示す図である。
【図６】ロックアップクラッチの制御に用いるロックアップクラッチ作動マップを示す図である。
【図７】第１実施形態におけるロックアップクラッチ制御動作の手順を示すフローチャート図である。
【図８】第２実施形態におけるロックアップクラッチ制御動作の手順を示すフローチャート図である。
【符号の説明】
【００９７】
２          自動変速機
２０        トルクコンバータ（流体継手）
２６        ロックアップクラッチ
１１４      車輪速センサ
【図１】
2008298145.tif 000003
【図２】
2008298145.tif 000004
【図３】
2008298145.tif 000005
【図４】
2008298145.tif 000006
【図５】
2008298145.tif 000007
【図６】
2008298145.tif 000008
【図７】
2008298145.tif 000009
【図８】
2008298145.tif 000010